(57)【要約】【課題】デザイン的に斬新であり、文字部分のみが光るため、眩しくなく、しかも視認性に優れた光源により照明されるクリアつまみを提供する。【解決手段】つまみの背後に光源が配置され、前記光源からの光により前記つまみの背後を照明して前記つまみに形成された文字等のパターン２ａを光らせるクリアつまみにおいて、前記パターン形状のスリット１ａを有する遮光性樹脂部材１と、前記スリット１ａを埋める透光性樹脂部材２とにより構成した。【選択図】        図１
2005195765.tif 000002
【特許請求の範囲】
【請求項１】
つまみの背後に光源が配置され、前記光源からの光により前記つまみの背後を照明して前記つまみに形成された文字等のパターンを光らせるクリアつまみにおいて、前記パターン形状のスリットを有する遮光性樹脂部材と、前記スリットを埋める透光性樹脂部材とにより構成される光源により照明されるクリアつまみ。
【請求項２】
つまみの背後に光源が配置され、前記光源からの光により前記つまみの背後を照明して前記つまみに形成された文字等のパターンを光らせるクリアつまみにおいて、前記パターン形状のスリットを有する遮光性樹脂部材と、前記遮光性樹脂部材の光源側と反対側の面を覆うと共に前記スリットを埋める透光性樹脂部材により構成される光源により照明されるクリアつまみ。
【請求項３】
前記透光性樹脂部材が半透明部材である請求項１または２の光源により照明されるクリアつまみ。
【請求項４】
前記透光性樹脂部材が透明部材である請求項１または２の光源により照明されるクリアつまみ。
【請求項５】
前記透光性樹脂部材がレンズを形成する請求項１から４のいずれかに記載された光源により照明されるクリアつまみ。
【発明の詳細な説明】
【技術分野】
【０００１】
この発明はつまみに係わり、特に、光源により照明されるクリアつまみに関する。
【背景技術】
【０００２】
従来、背後から光源により照明され、文字等のパターンを浮き上がらせるいわゆるクリアつまみが使用されていた。このような従来のクリアつまみの例を図３に示す。図に示す半透明樹脂部材５の上面には文字形成部５ａが突出形成されている。図に示す半透明樹脂部材５の外面が文字形成部５ａを除いて遮光性樹脂部材６に覆われるように２色成形されてつまみが形成される。
【０００３】
特開平６−２９５６３９号公報に提案されたつまみは図３に示す構造のつまみにおける遮光性樹脂部材６の表面が文字形成部５ａを除いて塗料で覆われている。
【０００４】
図４に従来のクリアつまみの他の例を示す。この例では半透明樹脂部材７に透明樹脂部材８が重なるように２色成形されている。そして、透明樹脂部材８の上面に文字パターン９がシルク印刷されている。
【特許文献１】特開平６−２９５６３９号公報２〜３頁、図２、図４
【発明の開示】
【発明が解決しようとする課題】
【０００５】
上記した図３に示す従来のクリアつまみは、文字等のパターンが平面状に現れ、デザイン的な斬新さがなかった。
【０００６】
図４に示す従来のクリアつまみは、デザイン的に好ましいものを作ることができるが、文字部分が印刷されているため、文字部分を光らせることができず、文字の視認性に劣るという欠点があった。
【０００７】
また、照明する範囲が広く、車載用機器の場合、夜間の運転中に眩しく感じることがあった。さらに、印刷が必要なために製造コストが高くなるという問題があった。
【０００８】
この発明は上記した点に鑑みてなされたものであって、その目的とするところは、デザイン的に斬新であり、文字部分のみが光るため、眩しくなく、しかも視認性に優れた光源により照明されるクリアつまみを提供することにある。
【課題を解決するための手段】
【０００９】
この発明の光源により照明されるクリアつまみは、つまみの背後に光源が配置され、前記光源からの光により前記つまみの背後を照明して前記つまみに形成された文字等のパターンを光らせるクリアつまみにおいて、前記パターン形状のスリットを有する遮光性樹脂部材と、前記スリットを埋める透光性樹脂部材とにより構成されるものである。
【００１０】
また、この発明の光源により照明されるクリアつまみは、つまみの背後に光源が配置され、前記光源からの光により前記つまみの背後を照明して前記つまみに形成された文字等のパターンを光らせるクリアつまみにおいて、前記パターン形状のスリットを有する遮光性樹脂部材と、前記遮光性樹脂部材の光源側と反対側の面を覆うと共に前記スリットを埋める透光性樹脂部材により構成されるものである。
【００１１】
また、前記各クリアつまみにおいて、前記透光性樹脂部材を半透明部材としたものである。
【００１２】
また、同クリアつまみにおいて、前記透光性樹脂部材を透明部材としたものである。
【００１３】
また、前記各クリアつまみにおいて、前記透光性樹脂部材がレンズを形成するものである。
【発明の効果】
【００１４】
この発明のクリアつまみは、デザイン的に斬新であり、文字部分のみが光るため、眩しくなく、しかも視認性に優れている。
【発明を実施するための最良の形態】
【００１５】
以下この発明を実施するための最良の形態を実施例に即して説明する。
【実施例１】
【００１６】
図１（ａ）はこの発明の実施例１のクリアつまみを示す正面図、図１（ｂ）は図１（ａ）におけるＡ−Ａ断面図である。図に示す遮光性樹脂部材１には文字を形成するスリット１ａが設けられている。遮光性樹脂部材１に重なるように透明樹脂部材２が２色成形により遮光性樹脂部材１と一体に形成される。このとき透明樹脂部材２の文字形成部２ａがスリット１ａに入り込む。
【００１７】
このように形成されたクリアつまみの背後を光源で照明すると、文字形成部２ａが透明樹脂部材２の奥の方で光り、デザイン的に優れたものとなる。なお、透明樹脂部材２は透光性がよいので厚く形成でき、立体感を得ることができる。さらに、透明樹脂部材２によりレンズを形成すると、文字部分を大きく見せることができる。
【実施例２】
【００１８】
図２（ａ）はこの発明の実施例２のクリアつまみを示す正面図、図２（ｂ）は図２（ａ）におけるＢ−Ｂ断面図である。図に示す遮光性樹脂部材３には文字を形成するスリット３ａが設けられている。遮光性樹脂部材３に重なるように半透明樹脂部材４が２色成形により遮光性樹脂部材３と一体に形成される。このとき半透明樹脂部材４の文字形成部４ａがスリット３ａに入り込む。
【００１９】
このように形成されたクリアつまみの背後を光源で照明すると、文字形成部４ａが半透明樹脂部材４の奥で光り、デザイン的に優れたものとなる。なお、半透明樹脂部材４は光りを散乱させるため、文字を柔らかな感じに照明することができる。
【００２０】
このとき、半透明樹脂部材４を薄い着色とすると非照明時に半透明樹脂部材４の奥の方に文字形成部４ａに形成された文字がぼんやりと見え、照明時にはくっきりと見える。そして、半透明樹脂部材４を濃い着色とすると非照明時には文字が隠れ、照明時のみ文字を浮かび上がらせるようにすることができる。
【図面の簡単な説明】
【００２１】
【図１】図１（ａ）はこの発明の実施例１のクリアつまみを示す正面図、図１（ｂ）は図１（ａ）におけるＡ−Ａ断面図である。
【図２】図２（ａ）はこの発明の実施例２のクリアつまみを示す正面図、図２（ｂ）は図２（ａ）におけるＢ−Ｂ断面図である。
【図３】図３（ａ）は従来のクリアつまみの例を示す正面図、図３（ｂ）は図３（ａ）におけるＣ−Ｃ断面図である。
【図４】図４（ａ）は従来のクリアつまみの他の例を示す正面図、図４（ｂ）は図４（ａ）におけるＤ−Ｄ断面図である。
【符号の説明】
【００２２】
１  遮光性樹脂部材、１ａ  スリット
２  透明樹脂部材、２ａ  文字形成部
３  遮光性樹脂部材、３ａ  スリット
４  半透明樹脂部材、４ａ  文字形成部
５  半透明樹脂部材、５ａ  文字形成部
６  遮光性樹脂部材
７  半透明樹脂部材
８  透明樹脂部材
９  文字パターン
【図１】
2005195765.tif 000003
【図２】
2005195765.tif 000004
【図３】
2005195765.tif 000005
【図４】
2005195765.tif 000006